(57)【要約】      （修正有）【課題】見栄えよくカプセルトイマシン内の玩具や商品を陳列でき、カプセルトイマシンの真横からでもその存在を確認することのできるショーケースを提供する。【解決手段】カプセルトイマシン２の２台分と同等の幅を有する長方形の前方に円形の一部を継ぎ足した形状の下板５及び上板６並びにカプセルトイマシン２の高さ及び奥行きと同等の高さ及び奥行きを有する長方形状の左側板７及び右側板８からなるケース部と、ケース部の前面側を覆う透明な窓部と、ケース部の内部に配置され玩具や商品等を陳列し易くする棚板１７、１８と、アクリル板からなる各板の後端縁の中央部に装着されるＬＥＤ光源と、ＬＥＤ光源への給電を制御する電源制御部を有するショーケース１。【選択図】図１
0003197652.tif 000002
【実用新案登録請求の範囲】
【請求項１】
横方向又は上下方向及び横方向に並設された複数のカプセルトイマシンの上部、中間部若しくは下部に設置可能なショーケースであって、
前記カプセルトイマシン複数台分と同等の幅を有する矩形の前方に張り出し部を継ぎ足した形状の下板及び上板並びに上下辺が平行な台形状の側板２枚からなるケース部と、
該ケース部の前面側を覆う透明な窓部を有している
ことを特徴とするショーケース。
【請求項２】
前記台形状の側板は、前記カプセルトイマシン１台分又は複数台分と同等の高さを有している
ことを特徴とする請求項１記載のショーケース。
【請求項３】
前記ケース部は、前記下板及び上板の前方側を切り欠いた形状の棚板を有している
ことを特徴とする請求項１又は２記載のショーケース。
【請求項４】
前記下板又は前記上板は、その前端部に発光部を有している
ことを特徴とする請求項１ないし３のいずれかに記載のショーケース。
【請求項５】
前記発光部は、前記下板又は前記上板を導光板とし、該導光板の背面側又は側面側に発光体を配置して、前記導光板の前端面が発光するように構成されている
ことを特徴とする請求項４に記載のショーケース。
【考案の詳細な説明】
【技術分野】
【０００１】
本考案は、複数のカプセルトイマシンとともに設置されるショーケースに関する。
【背景技術】
【０００２】
カプセルトイマシンは通常ガチャガチャ又はガチャポン等と呼ばれる自動販売機の一種で、プラスチック製のカプセルや箱等に玩具や商品を封入した容器を多数格納しておき、硬貨投入後にハンドルを回すことによって内部の回転ドラムを回転させ、容器を開口の上部に移動することで商品排出口に排出させるものが一般的である。
このカプセルトイマシンは、デパートやスーパーマーケットの玩具売り場や階段の踊り場、ゲームセンター、コンビニエンスストアの店先や店内、遊園地等に設置されることが多いが、最近では多数のカプセルトイマシンを設置した専用の店舗も増加している。
そして、カプセルトイマシンは容器内に封入する玩具や商品の種類によらず、同じ大きさの直方体形状となっているため、１台のマシンには同じ系統の玩具や商品を封入しつつ、それぞれ異なる系統の玩具や商品を封入したマシンを複数台用意し、それらを横並びに並べたり上下に多段に重ねたりして、比較的狭い場所で様々な顧客のニーズに応えることができるというメリットがある。
【０００３】
反面、カプセルトイマシンの容器は透明になっていることが多いものの、玩具や商品が容器内に封入されているため、排出される可能性のある玩具や商品を直接目視しにくいというデメリットもある。
そこで、特許文献１（実用新案登録第３１２５７０４号公報）に記載されるように、カプセル自動販売機（カプセルトイマシン）の蓋部に取り付け可能な底フレーム、底フレームの所定位置から立ち上がって設けられるフレーム、陳列台、陳列棚等を備え、カプセル内の商品に関連を持たせる商品等を陳列させるカプセル自動販売機用什器が提案されている（特に、段落００１４〜００１６及び図２、４を参照）。
また、特許文献２（特許第４４４６８８５号公報）に記載されるように、上下に重畳可能、かつ、横方向に並設可能な箱型のフレームを用意し、このフレームにカプセル商品排出機（カプセルトイマシン）、商品収納ボックス、商品ディスプレイ等を前方から嵌込んで適宜上下方向及び横方向に組み合わせられるようにしたカプセル商品排出装置が提案されている（特に、段落００２０〜００２７及び図１を参照）。
【先行技術文献】
【特許文献】
【０００４】
【特許文献１】実用新案登録第３１２５７０４号公報
【特許文献２】特許第４４４６８８５号公報
【考案の概要】
【考案が解決しようとする課題】
【０００５】
ところが、特許文献１記載のカプセル自動販売機用什器及び特許文献２記載の商品ディスプレイは、カプセル自動販売機の蓋部やフレームの大きさに制限されてしまうため、見栄えよく商品等を陳列できないという問題や、カプセル自動販売機又はカプセル商品排出機等の前面部と面一又は前面部より背面側に引っ込んでいるため、真横からはその存在を確認することができないという問題があった。
本考案の課題はこれらの問題を解決し、従来よりも見栄えよくカプセルトイマシン内の玩具や商品を陳列でき、カプセルトイマシンの真横からでもその存在を確認することのできるショーケースを提供することである。
【課題を解決するための手段】
【０００６】
請求項１に係る考案のショーケースは、横方向又は上下方向及び横方向に並設された複数のカプセルトイマシンの上部、中間部若しくは下部に設置可能なショーケースであって、前記カプセルトイマシン複数台分と同等の幅を有する矩形の前方に張り出し部を継ぎ足した形状の下板及び上板並びに上下辺が平行な台形状の側板２枚からなるケース部と、該ケース部の前面側を覆う透明な窓部を有していることを特徴とする。
【０００７】
請求項２に係る考案のショーケースは、請求項１記載のショーケースにおいて、前記台形状の側板は、前記カプセルトイマシン１台分又は複数台分と同等の高さを有していることを特徴とする。
【０００８】
請求項３に係る考案のショーケースは、請求項１又は２記載のショーケースにおいて、前記ケース部は、前記下板及び上板の前方側を切り欠いた形状の棚板を有していることを特徴とする。
【０００９】
請求項４に係る考案のショーケースは、請求項１ないし３のいずれかに記載のショーケースにおいて、前記下板又は前記上板は、その前端部に発光部を有していることを特徴とする。
【００１０】
請求項５に係る考案のショーケースは、請求項４に記載のショーケースにおいて、前記発光部は、前記下板又は前記上板を導光板とし、該導光板の背面側又は側面側に発光体を配置して、前記導光板の前端面が発光するように構成されていることを特徴とする。
【考案の効果】
【００１１】
請求項１に係る考案によれば、下板及び上板がカプセルトイマシン複数台分と同等の幅を有しており、従来よりも横幅が２倍以上大きいショーケースを構成できるので、見栄えよくカプセルトイマシン内の玩具や商品を陳列できる。
また、下板及び上板は、カプセルトイマシン複数台分と同等の幅を有する矩形の前方に張り出し部を継ぎ足した形状になっているとともに、ケース部の前面側を覆う透明な窓部を有しているので、カプセルトイマシンの真横からでもその存在を確認でき、顧客をショーケースに誘引することができる。
【００１２】
請求項２に係る考案によれば、請求項１に係る考案のショーケースによる効果に加えて、台形状の側板が、カプセルトイマシン１台分又は複数台分と同等の高さを有しているので、ショーケースを上下方向及び横方向に並設された複数のカプセルトイマシンの中間部若しくは下部に設置した時に、各段におけるカプセルトイマシンの高さを揃えることができる。
【００１３】
請求項３に係る考案によれば、請求項１又は２に係る考案のショーケースによる効果に加えて、ケース部が下板及び上板の前方側を切り欠いた形状の棚板を有しているので、棚板の切り欠き部には背の高い玩具や商品を陳列できるとともに、下板のその他の部分及び棚板には比較的背の低い玩具や商品を陳列できるので、ショーケース内のスペースを有効に活用することができる。
【００１４】
請求項４に係る考案によれば、請求項１ないし３のいずれかに係る考案のショーケースによる効果に加えて、下板又は上板がその前端部に発光部を有しているので、ショーケースを目立たせることができる。
また、張り出した部分が光ることになるので、真横からの視認性を高めることができ、より多くの顧客をショーケースに誘引することができる。
【００１５】
請求項５に係る考案によれば、請求項４に係る考案のショーケースによる効果に加えて、下板又は上板を導光板とし、その背面側又は側面側に発光体を配置して、導光板の前端面が発光するようにして発光部を構成しているので、下板又は上板の前端部に直接発光体を配置する必要がなく、発光体や電線を容易に設置できる。
【図面の簡単な説明】
【００１６】
【図１】実施例１のショーケースをカプセルトイマシン群の中間部に設置した状態を示す図。
【図２】実施例１のショーケースの平面図。
【図３】実施例１のショーケースの側面図。
【図４】実施例１のショーケースの背面図。
【図５】実施例２のショーケースをカプセルトイマシン群の上部に設置した状態を示す図。
【考案を実施するための形態】
【００１７】
以下、実施例１及び２によって本考案の実施形態を説明する。
【実施例１】
【００１８】
図１は実施例１のショーケース１を上下方向及び横方向に並設された複数のカプセルトイマシン２の中間部に設置した状態を示す図である。
図１において、ショーケース１は下から６台、４台、４台と３層に積み重ねられて並設された１４台のカプセルトイマシン２の下から２段目の中央部、すなわち一番下の左から３台目と４台目のカプセルトイマシン２の上にまたがって載置する形で設置している。
ただし、図１は設置の一例を示したものであって、ショーケース１はカプセルトイマシン２を２台分収容可能なスペースがあれば、横方向又は上下方向及び横方向に並設された複数のカプセルトイマシン２（以下「カプセルトイマシン群」という。）の上部、中間部若しくは下部のどこにでも設置することができる。
また、ショーケース１は本体部３と、本体部３を収容する枠部４から構成されている。
【００１９】
図２〜４は、それぞれショーケース１の平面図、側面図及び背面図であり、いずれも本体部３を実線で枠部４を点線で描いてある。
そして、本体部３は図１〜４に示すように、次の各構成を備えている。
【００２０】
（１）カプセルトイマシン２の幅の２倍程度の幅でカプセルトイマシン２の奥行きと同等の奥行きを有する長方形の前方に円形の一部を継ぎ足した形状のアクリル板からなる下板５及び上板６、並びにカプセルトイマシン２の高さ及び奥行きと同等の高さ及び奥行きを有する長方形状のアクリル板からなる左側板７及び右側板８からなり、これらを上下左右に配してなるケース部。
【００２１】
（２）ケース部の後端から電源制御部９の厚み程度前側に配置され、ケース部の背面側を覆う背面板１０。
背面板１０の上部には、図４に示すように、本体部の内側に給電する場合に配線を通過させるための配線穴１１が開けてあり、背面板１０の前面には、陳列する商品と関係のあるキャラクターや装飾が施されている。
【００２２】
（３）円筒体の一部を切り欠いた形状のアクリル板からなり、ケース部の前面側を覆うように配置される窓部１２。
窓部１２の左右両側部の中央には、図２、３に示すように、左側板７及び右側板８の前側中央部に設けてあるフック１３、１４を引っ掛けることによって窓部１２が外されないように固定するための突起部１５、１６が設けてある。
窓部１２を取り付ける際には、突起部１５、１６を押し込むことで、通常は図３の状態を取るようになっているフック１３、１４が押し上げられ、突起部１５、１６をさらに押し込むと自重で下がって図３の状態に戻るようになっている。
また、窓部１２を外す際には、左側板７及び右側板８に穿たれた鍵穴からキーを差し込み、フック１３、１４を回転させて突起部１５、１６との係合状態を解除した上で窓部１２を引き抜けば良い。
【００２３】
（４）ケース部の内部にほぼ水平に配置され、玩具や商品等を陳列し易くする棚板１７、１８。
棚板１７、１８は、図１、２に示すように、背面板１０と同じ幅で左側板７及び右側板８より電源制御部９の厚み程度短い奥行きを有する長方形の前方側を円弧状に切り欠いた形状のアクリル板からなり、下側に配置される棚板１７は浅い円弧状の切り欠き、上側に配置される棚板１８は深い円弧状の切り欠きを有するものとなっている。
棚板１７、１８をこのような形状とすることによって、ショーケース１内のスペースを有効に活用することができる。
【００２４】
（５）アクリル板からなる下板５、上板６、左側板７、右側板８及び棚板１７、１８の後端縁の中央部に装着されるＬＥＤ光源１９〜２４。
ＬＥＤ光源１９〜２４は、いずれも複数のＬＥＤを線状に並べてなるものであり、複数色のＬＥＤを含んでいる。
また、電源制御部９は、図示しない給電線を介してＬＥＤ光源１９〜２４に電力の供給を行うとともに、適宜の発光パターン及び発光色によって発光できるように、複数のＬＥＤへの電力供給を選択的に制御できるようになっている。
ＬＥＤ光源１９〜２４からアクリル板に入射した光は、透明のアクリル板が導光板となって前方へ導かれ、アクリル板の前端部から出射されるので、ショーケース１を目立たせることができ、また、下板５及び上板６は前方に張り出しているので、真横からの視認性を高めることができる。
【００２５】
枠部４は図１〜４に示すように、下板５及び上板６の幅よりやや大きい幅で左側板７及び右側板８とほぼ同じ奥行きを有する長方形状の下枠２５及び上枠２６、並びに左側板７及び右側板８の高さよりやや大きい高さで下枠２５及び上枠２６の半分程度の奥行きを有する長方形状の左側枠２７及び右側枠２８を上下左右に配してなっている。
そして、実施例１のショーケース１を利用する際には、枠部４に本体部３を収容させてからカプセルトイマシン群の適宜の位置に配置する方法と、枠部４のみをカプセルトイマシン群の適宜の位置に配置した後に、枠部４の前方又は後方から本体部３を差し込んで収容する方法の２通りの方法を選択することができる。
また、枠部４は上面にカプセルトイマシン２を載置するに十分な強さと厚さを有する木製、金属製若しくは樹脂製の下枠２５、上枠２６、左側枠２７及び右側枠２８で構成されているので、ショーケース１を構成する各アクリル板は比較的薄いものとしても良く、ショーケース１を設置した後に、本体部３のみを抜き出して陳列されている玩具や商品を入れ替えたり、本体部３自体を入れ替えたりすることも容易に行うことができる。
【実施例２】
【００２６】
図５は、実施例２のショーケース３１をカプセルトイマシン群の上部に設置した状態を示す図である。
図５において、ショーケース３１は下から６台、６台と２層に積み重ねられて並設された１２台のカプセルトイマシン群に、左から２台目から５台目のカプセルトイマシン２の上にまたがって載置する形で設置している。
ただし、実施例１と同様、図５は設置の一例を示したものであって、ショーケース３１はカプセルトイマシン２を４台分収容可能なスペースがあれば、カプセルトイマシン群の上部、中間部若しくは下部のどこにでも設置することができる。
なお、ショーケース３１は実施例１とは異なり、本体部のみからなっており、本体部を収容する枠部は用いていない。
そのため、実施例１に比べてカプセルトイマシン２をショーケース３１の上面に載置するには不利な構造ではあるが、上板３３、左側板３４及び右側板３５を厚いアクリル板とする、アクリル板とせずに強度の高い板を用いる、下板３２と上板３３との間に目立たない支柱を設ける等の工夫によって、カプセルトイマシン群の上部だけでなく、中間部や下部にも設置することも可能である。
【００２７】
実施例２の本体部の基本的な構成は実施例１の本体部とほぼ同じであるが、以下の点で異なっている。
（１）下板３２及び上板３３の幅が、カプセルトイマシン２の幅の４倍程度の幅となっている点。
（２）左側板３４及び右側板３５の高さが、カプセルトイマシン２の高さの半分程度の高さとなっている点。
（３）背面板及び窓部の幅及び高さが異なる点。（それぞれ実施例２の下板３２、上板３３、左側板３４及び右側板３５を上下左右に配してなるケース部の背面側及び前面側を覆う幅及び高さとなっている。）
（４）ケース部の内部に棚板３６が１枚だけ配置されている点。そのため、棚板３６は実施例１の棚板１７、１８とは幅や切り欠きの形状も異なる。
【００２８】
実施例２のショーケース３１は、上記のような構成となっているので、実施例１のショーケース１と比べて、幅広い陳列スペースを提供することができる。
ただし、実施例２のショーケース３１をカプセルトイマシン群の下部又は中間部に設置した場合には、ショーケース３１の左右に配置されるカプセルトイマシン２の上面の高さと、ショーケース３１の上面の高さとが異なることになるが、カプセルトイマシン２の利用に格別の支障をきたすことはない。
なお、ショーケース３１の高さはカプセルトイマシン２の高さの半分程度となっているため、２台のショーケース３１を上下に積み重ねてカプセルトイマシン群の下部又は中間部に設置すれば、ショーケース３１の左右に配置されるカプセルトイマシン２の上面の高さと、上側のショーケース３１の上面の高さを揃えることもできる。
【００２９】
実施例１及び２の変形例を列記する。
（１）実施例１のショーケース１は、電源制御部９、背面板１０、棚板１７、１８及びＬＥＤ光源１９〜２４を備え、下板５、上板６、左側板７、右側板８及び棚板１７、１８は透明なアクリル板からなっている。
しかし、電源制御部９、背面板１０、棚板１７、１８及びＬＥＤ光源１９〜２４については付加的な装飾用又は電飾用の構成であるので、全部又は一部を省略しても良い。
そして、ＬＥＤ光源１９〜２４を省略した場合には、下板５、上板６、左側板７、右側板８及び棚板１７、１８を透明なアクリル板の導光板とする必要はなくなる。
逆に、装飾効果を高めるために電飾装置や装飾板を追加したり、強度を高めるために下板５と上板６の間に目立たない支柱を追加したりしても良い。
また、これらの事情は実施例２のショーケース３１においても同様である。
（２）実施例１の下板５及び上板６はカプセルトイマシン２の幅の２倍程度の幅でカプセルトイマシン２の奥行きと同等の奥行きを有する長方形の前方に円形の一部を継ぎ足した形状となっており、実施例２の下板３２及び上板３３は、カプセルトイマシン２の幅の４倍程度の幅でカプセルトイマシン２の奥行きと同等の奥行きを有する長方形の前方に円形の一部を継ぎ足した形状となっている。
しかし、下板及び上板の幅及び奥行きはこのような寸法に限らず、幅についてはカプセルトイマシン２の複数台分と同等の幅であれば良く、奥行きについてはカプセルトイマシン２の奥行きより小さい方が望ましいものの格別の制限はない。
また、全体の形状については、矩形の前方に適宜の形状の張り出し部を継ぎ足した形状として、ショーケース１、３１をカプセルトイマシン群の上部、中間部若しくは下部に設置した時、継ぎ足した張り出し部の全部又は一部がカプセルトイマシン２の前面部より前側に飛び出した状態とすることができれば良い。
（３）実施例１の左側板７及び右側板８は、カプセルトイマシン２の高さ及び奥行きと同等の高さ及び奥行きを有する長方形状となっており、実施例２の左側板３４及び右側板３５は、カプセルトイマシン２の高さの半分程度の高さ及び奥行きと同等の高さ及び奥行きを有する長方形状となっている。
しかし、左側板及び右側板の高さ及び奥行きはこのような寸法に限らず、高さについてはカプセルトイマシン２の１台分又は複数台分と同等の高さ又はカプセルトイマシン２の２分の１又は３分の１程度の高さが望ましいものの格別の制限はなく、奥行きについてはカプセルトイマシン２の奥行きより小さい方が望ましいものの格別の制限はない。
また、左側板及び右側板の全体の形状については長方形状に限らず、下枠２５又はカプセルトイマシン２の上面に載置できるように、上下辺が平行な台形状であれば良い。  
（４）実施例１、２のショーケース１、３１は、窓部が外されないように固定するため、左側板７及び右側板８の前側中央部にフック１３、１４を設けるとともに、窓部１２の左右両側部の中央に突起部１５、１６が設けてある。
しかし、窓部１２は、図３に示すようにケース部の前面側を覆うだけでなく、下板５及び上板６の張り出し部も覆うようになっており、フック１３、１４及び突起部１５、１６を用いて固定しなくてもすぐに外れることはないので、これらを省略しても良い。
また、容易に外されないようにするため、鍵穴を設けキーを差し込んでフック１３、１４を回転できるようにしたが、鍵穴に代えて単なる操作穴を設けドライバー等を差し込んでフック１３、１４を回転できるようにしても良い。
さらに、図２、３に示したフック１３、１４及び突起部１５、１６によらず、鍵式、番号式又は電子式等のロック手段を用いて適宜の箇所を固定するようにしても良い。
（５）実施例１の棚板１７、１８及び実施例２の棚板３６は、背面板と同じ幅で左側板及び右側板より電源制御部９の厚み程度短い奥行きを有する長方形の前方側を円弧状に切り欠いた形状となっている。
しかし、棚板の奥行きはこのような寸法に限らず、棚板が設置される部分における左側板及び右側板の奥行きより小さければ良く、特に棚板の奥行きが小さい場合には円弧状の切り欠きは設けなくても良い。
また、切り欠きを設ける場合、形状は円弧状に限らずどのような形状の切り欠きであっても良い。
（６）実施例１の下板５、上板６、左側板７、右側板８及び棚板１７、１８は透明なアクリル板からなり、各々その後端縁の中央部にはＬＥＤ光源１９〜２４が装着されている。
しかし、導光板としては透明なアクリル板に限らず、他の透明な樹脂板やガラス板、又は内部や表面に光ファイバー等の導光体を設けた不透明な板を用いても良い。
また、ＬＥＤ光源１９〜２４の装着箇所は、導光板の後端縁の中央部に限らず、導光板の前端部を発光させることができる箇所であれば、導光板の背面側又は側面側のいずれの箇所であっても良く、ＬＥＤ光源１９〜２４をＥＬ素子や小型ランプ等、適宜の他の発光体としても良い。
さらに、下板５、上板６、左側板７、右側板８及び棚板１７、１８の前端部を発光させる構成としては、導光板と発光体の組み合わせに限らず、各板の前端部に直接ＬＥＤ等の発光体を設けるものとしても良い。
【符号の説明】
【００３０】
１  ショーケース      ２  カプセルトイマシン
３  本体部      ４  枠部      ５  下板      ６  上板
７  左側板      ８  右側板      ９  電源制御部
１０  背面板      １１  配線穴      １２  窓部
１３、１４  フック      １５、１６  突起部
１７、１８  棚板      １９〜２４  ＬＥＤ光源
２５  下枠      ２６  上枠      ２７  左側枠      ２８  右側枠
３１  ショーケース      ３２  下板      ３３  上板
３４  左側板      ３５  右側板      ３６  棚板
【図１】
0003197652.tif 000003
【図２】
0003197652.tif 000004
【図３】
0003197652.tif 000005
【図４】
0003197652.tif 000006
【図５】
0003197652.tif 000007